(57)【要約】【課題】密閉容器に無電極ランプを収容した照明装置を提供する。【解決手段】この照明装置は、固定枠４と前面枠２とが開閉自在に設けられ、内部に無電極ランプ１６を収容する密閉構造の灯体としての本体部１と；固定枠４に固定され、無電極ランプ１６を点灯させる点灯装置としての電子安定器９が取り付けられた取付板としてのユニット板１３と；ユニット板１３の面に対してほぼ直角に設けられ、無電極ランプ１６をユニット板１３の面とほぼ平行に支持する支持部材１０と；この支持部材１０に固定され、無電極ランプ１６から生じる熱を放熱する放熱部材としてのヒートシンク１７と；ユニット板１３に取り付けられ、支持部材１０およびヒートシンク１７を貫通させる第１の開口３ａと、無電極ランプ１６を支持部材１０に固定する作業を行うための第２の開口３bとを設けた反射板３と；を具備する。【選択図】図２
2005093266.tif 000002
【特許請求の範囲】
【請求項１】
固定枠と前面枠とが開閉自在に設けられ、閉じた状態で内部に無電極ランプを収容する密閉構造の灯体と；
前記固定枠に固定され、前記無電極ランプを点灯させる点灯装置が取り付けられた取付板と；
前記取付板の面に対してほぼ直角に設けられ、前記無電極ランプを前記取付板の面とほぼ平行に支持する支持部材と；
前記支持部材に固定され、前記無電極ランプから生じる熱を前記支持部材を介して放熱する放熱部材と；
前記取付板に取り付けられ、前記支持部材および放熱部材を通す第１の開口と、前記無電極ランプを前記支持部材に固定する作業を行うための第２の開口とを設けた反射板と；
を具備したことを特徴とする照明装置。
【発明の詳細な説明】
【技術分野】
【０００１】
本発明は、例えば無電極ランプを用いた照明装置に関する。
【背景技術】
【０００２】
従来から、屋外の例えば有料道路の料金所、インターチェンジ、トンネル等のように車が常に通行し、しかも交通量が多い場所には、防塵、防滴のため灯体を密閉構造とした照明装置が用いられている。
この種の照明装置は、主に蛍光灯やＨＩＤランプを用いた器具が多く、暗い、あるいは光が反射して見づらい、ランプ寿命が短い等といった欠点があった。
【０００３】
近年では、屋外に設置する照明器具として、ランプ寿命の長い無電極ランプを用いたものが実用化されている（例えば特許文献１参照）。
【特許文献１】特開２００２−２３１０４８号公報
【発明の開示】
【発明が解決しようとする課題】
【０００４】
しかしながら、無電極ランプを使用した従来の照明装置は、発熱量が多く、上記のように防塵、防滴のため密閉構造とされた灯体には適用できないという問題があった。
【０００５】
本発明はこのような課題を解決するためになされたもので、密閉構造の灯体に無電極ランプを適用できる照明装置を提供することを目的としている。
【課題を解決するための手段】
【０００６】
上記した課題を解決するために、本発明の照明装置は、固定枠と前面枠とが開閉自在に設けられ、閉じた状態で内部に無電極ランプを収容する密閉構造の灯体と；前記固定枠に固定され、前記無電極ランプを点灯させる点灯装置が取り付けられた取付板と；前記取付板の面に対してほぼ直角に設けられ、前記無電極ランプを前記取付板の面とほぼ平行に支持する支持部材と；前記支持部材に固定され、前記無電極ランプから生じる熱を前記支持部材を介して放熱する放熱部材と；前記取付板に取り付けられ、前記支持部材および放熱部材を貫通させる第１の開口と、前記無電極ランプを前記支持部材に固定する作業を行うための第２の開口とを設けた反射板と；を具備することを特徴としている。
【０００７】
本発明では、無電極ランプを取付板の面と平行に支持する支持部材を設けると共に支持部材に放熱部材を取り付けて熱対策を行い、かつこれら部材を貫通させる第１の開口と無電極ランプの着脱作業用の第２の開口とを反射板に設けたので、照度の確保に必要な反射面をできるだけ残しつつ、本体部に反射板３を取り付けた後で無電極ランプを横向きに取り付け、取り外しを行えるようになる。
【発明の効果】
【０００８】
以上説明したように本発明によれば、密閉構造の灯体に無電極ランプを適用した照明装置を提供することができる。
【発明を実施するための最良の形態】
【０００９】
以下、本発明の実施の形態を図面を参照して詳細に説明する。
図１は本発明に係る一つの実施の形態の照明装置の構成を示す図、図２は図１の照明装置の断面図である。
図１，２に示すように、この照明装置は、道路上の高所、例えばトンネルの天井あるいは料金所の通路の上部等に取り付けられるものである。例えばトンネルの天井には取付脚８が固定されており、この取付脚８に密閉構造の灯体としての本体部１がビス１１で取り付けられる。
【００１０】
本体部１は、固定枠４と前面枠２とを対向させてヒンジ７によって開閉自在に設けられている。固定枠４と前面枠２は、1ｍｍ程度の厚みのプレス加工品である。固定枠４あるいは前面枠２の周縁部には、互いを閉じた状態で隙間をなくし密閉した状態とするためのパッキン１２が設けられている。パッキン１２は、シリコン製である。本体部１のヒンジ７と反対側の位置には、ラッチ機構（図示せず）が設けられている。固定枠４と前面枠２とを合わせて閉じた後、ラッチ機構でラッチすることで、この本体部１が密閉構造体となる。前面枠２には、透明な照明カバー５が取り付けられている。照明カバー５は、強化ガラス製あるいはアクリル樹脂製である。
【００１１】
本体部１の固定枠４には、取付板としてのユニット板１３が固定されている。ユニット板１３はステンレス製（ＳＵＳ）である。ユニット板１３の光源位置からできるだけ離れた場所（端部）には、無電極放電灯１６（以下無電極ランプ１６と称す）を点灯させる点灯装置としての電子安定器９が取り付けられている。電子安定器９は、ジェネレータともいい、例えば2.65MHzの高周波を3軸接続ケーブルを通じて無電極ランプ１６に印加する高周波発生器である。電子安定器９を光源から離れたユニット板１３の端部に取り付けたことで、熱の影響を少なくしている。
【００１２】
無電極ランプ１６は、ソケット部１５と一体構造のものであり、ソケット部１５の底部には取付用のネジ穴が4箇所設けられている。無電極ランプ１６の取り付けは、ソケット部１５の底部のネジ穴へのビス１９の締め付けで行う。無電極ランプ１６は、この例では85Wのものを用いている。
無電極ランプ１６は、電磁誘導の原理と放電による発光の原理に基づいた仕組みを使った放電灯であり、電子安定器９から3軸接続ケーブルで供給される電流をランプ内に設けたフェライトコイルに流すことによってランプ内に高周波電界が発生し、この高周波磁界の発生によってランプ内に封入されていた水銀電子と電子の衝突が起こり、水銀電子から紫外線が放出される。この紫外線はランプ内面に塗られた蛍光物質によって、可視光に変換され発光する。無電極ランプ１６は、これまでの電球のように電極をもたないので、電極の劣化によるランプ切れはなく、ランプ寿命を水銀灯に比べて約5倍以上にまで飛躍的にのばすことができたものである。
【００１３】
ユニット板１３には、ユニット板１３の面に対してほぼ直角にランプ支持部１０ａを突出させた支持部材１０が設けられている。無電極ランプ１６は、光源部分を灯体のほぼ中央部に配置する関係で、図２の断面図の向かって左側に寄ったユニット板１３の位置にランプ支持部１０ａが設けられ、ソケット部１５を含む無電極ランプ１６が横向きに取り付けられている。
【００１４】
ランプ支持部１０ａは、無電極ランプ１６のソケット部１５の軸をユニット板１３の面にほぼ平行に向けて支持するものである。この支持部材１０には、放熱部材としてのヒートシンク１７がその一面にビス１８で固定されている。ヒートシンク１７は、アルミニウム製である。ヒートシンク１７には、複数のフィン１７ａがほぼ平行に設けられており、無電極ランプ１６に生じた熱をソケット部１５およびランプ支持部１０ａを介して放熱する。ヒートシンク１７のフィン１７ａは、支持部材１０のランプ支持部１０ａに取り付けた状態で支持部材１０の底部の幅からはみ出さない長さのものである。ユニット板１３には、支持部材１０とは別に反射板支持部１３ａがほぼ直角に突設されている。反射板支持部１３ａには、ドライバーなどの工具を差し込み無電極ランプ１６の取り付け作業あるいは取り外し作業を行うための開口部１３ｂが設けられている。反射板支持部１３ａには、無電極ランプ１６を覆う形状（ペン皿の形状）の反射板３が取り付けられている。反射板３は、8ｍｍ厚のアルミニウム板をエンボス加工によりペン皿の形状にしたものである。反射板３の表面には乱反射のためのアルマイト処理が施されている。
【００１５】
反射板３には、支持部材１０およびヒートシンク１７を貫通する第１の開口３ａと、無電極ランプ１６を支持部材１０に固定する作業を行うための第２の開口３bとが設けられている。第１の開口３ａは、無電極ランプ１６を取り付ける前に反射板３をユニット板１３に取り付ける際に使用する。無電極ランプ１６を支持部材１０に固定する作業とは、無電極ランプ１６のソケット部１５を支持部材１０の一方の面にあてがい、第２の開口３bを通じて他方の面からビス１８をヒートシンク１７のビス穴にあてがいドライバーやナット廻しの工具などで締め付ける作業である。第２の開口３bにより、横向きに取り付けた無電極ランプ１６を反射板３を外すことなく交換できる。
【００１６】
この実施形態の照明装置の取り付け手順を説明する。
この照明装置の場合、地上で本体部１に各部品を組み込んでから本体部１を取付脚８で天井等にビス１１で固定する。
地上では、予め本体部１の固定枠４に電子安定器９を取り付けたユニット板１３を固定しておき、前面枠２を開いた状態にしておく。
また、支持部材１０のランプ支持部１０ａの一方の面にヒートシンク１７をあてがい、ビス１８にて固定する。
続いて、ヒートシンク１７を取り付けた支持部材１０を、前面枠２を開いた状態の本体部１のユニット板１３に、ビス等で固定する。
【００１７】
次に、反射板３の第１の開口３ａに、支持部材１０のランプ支持部１０ａを通すようにしてユニット板１３の上に反射板３を載せ、ユニット板１３の反射板支持部１３ａでビス１４で反射板３を固定する。
【００１８】
続いて、無電極ランプ１６を横向きにして、ランプ支持部１０ａのヒートシンク取付面と反対の面にソケット部１５をあてがい、ヒートシンク取付面側からビス１９で無電極ランプ１６を取り付ける。横向きとは、ユニット板１３の面とほぼ平行の向きである。無電極ランプ１６のソケット部１５をランプ支持部１０ａにビス締めする際には、反射板３の第２の開口３ｂおよび反射板支持部１３aの開口部１３ｂよりドライバーなどの工具を差し込んでビス１９を締め付ける。
【００１９】
最後に、開いていた前面枠２を本体部１の固定枠４に合わせるようにして回動させて閉じ、ラッチ機構にてラッチして密閉する。
【００２０】
このようにこの実施形態の照明装置によれば、従来のトンネル器具の容器である本体部１内のユニット板１３の面に対してほぼ直角に支持部材１０を設け、この支持部材１０の一面にヒートシンク１７、他の面に無電極ランプ１６のソケット１５をビス１９で取り付けるようにし、反射板３には、支持部材１０およびヒートシンク１７を貫通させる第１の開口３ａと、無電極ランプ１６を支持部材１０にビス締めするための第２の開口３bとを設けたので、照度の確保に必要な反射面をできるだけ残しつつ横向きに取り付けた無電極ランプ１６の交換を行えるようになった。
【００２１】
また、ペン皿形状で強化ガラス製の照明カバー５を前面枠２に取り付けたことで、無電局ランプ１６から照明カバー５までの距離を50mm以上離すことができ、光源から発せられる熱の影響を回避することができる。さらに、長寿命の無電極ランプ１６０を用いたことでランプ交換の期間が長くなりトータル的なコストダウンを行うことができる。
これにより、固定枠４と前面枠２とを開閉自在でかつ閉じた状態で密閉構造となる本体部１内に無電極ランプ１６を収容した照明装置を提供することができる。
【００２２】
なお、本発明は上記実施形態のみに限定されるものではない。
上記実施形態では、光の透過量を優先して透明な照明カバー５としたが、これ以外にも、照明カバーの表面に、例えば酸化チタンなどで光触媒を形成して汚れの付着を防止したり、例えば酸化亜鉛などを塗布して酸化被膜を形成しＵＶをカットするようにしても良い。
【図面の簡単な説明】
【００２３】
【図１】照明装置の構成を示す図である。
【図２】図１の照明装置のヒンジ側の側面から見た断面図である。
【符号の説明】
【００２４】
１…本体部、２…前面枠、３…反射板、３ａ…第１の開口、３ｂ…第２の開口、４…固定枠、５…照明カバー、６…、７…ヒンジ、８…取付脚、９…電子安定器、１０…支持部材、１０ａ…ランプ支持部、１１…ビス、１３…ユニット板、１３ａ…反射板支持部、１３ｂ…開口部、１４…ビス、１５…ソケット部、１６…無電極ランプ、１７…ヒートシンク、１７ａ…フィン、１８，１９…ビス。
【図１】
2005093266.tif 000003
【図２】
2005093266.tif 000004